(57)【要約】      （修正有）【課題】仕分け台の回転部と固定部との隙間への雑固体廃棄物の侵入を防止し、もって溶融炉の稼働率を向上させる。【解決手段】分別作業に使用される仕分け台９は、雑固体廃棄物を上面に載せる皿状のターンテーブル等の回転部１７と、回転部１７を所定の高さで、かつ回転可能に支持する固定部１８と、回転部１７と固定部１８との隙間ｄに雑固体廃棄物の侵入を防ぐシール材とを備える。回転部１７に載せられた雑固体廃棄物は固定部１８の周囲に配置される作業員の手作業により分別され、それぞれ所定の方法で一時保存される。隙間ｄへの雑固体廃棄物の侵入を防ぐために固定部１８の内周端には全周にわたりシール材としてブラシ１６０ａが配設されている。【選択図】図４
2007253122.tif 000002
【特許請求の範囲】
【請求項１】
皿状の回転部と、該回転部を支持する固定部とを備え、前記回転部の上に載せられる廃棄物を分別する仕分け台であって、
前記回転部と前記固定部との隙間に異物の侵入を防ぐシール材を介在させたことを特徴とする廃棄物の仕分け台。
【請求項２】
前記シール材は、前記固定部に固定されるブラシであり、該ブラシの先端を前記固定部の内周縁と前記回転部の外周縁に接触させるものであることを特徴とする請求項１に記載の廃棄物の仕分け台。
【請求項３】
前記シール材は、ダストシールであることを特徴とする請求項１に記載の廃棄物の仕分け台。
【発明の詳細な説明】
【技術分野】
【０００１】
本発明は、廃棄物の仕分用作業台に関する。
【背景技術】
【０００２】
原子力発電所で発生する低レベル放射性廃棄物のうち雑固体廃棄物は、ドラム缶に詰められ、モルタル等の充填材にて充填されて所定の埋設場に埋設処分されるが、埋設場の広さには限りがあるので、雑固体廃棄物を減容し、埋設されるドラム缶の数を少なくすることが好ましい。そこで、雑固体廃棄物の減容方法として、例えば、高周波誘導加熱方式による溶融減容設備が導入されている。
【０００３】
具体的には、溶融減容設備は、雑固体廃棄物を溶融炉内にセットしたキャニスタ内で溶融して減容し、固化させた後、キャニスタごとドラム缶に詰め、モルタル等の固型化材料を充填して廃棄体とするものである。
【０００４】
溶融炉にて溶融される溶融対象物は、多種類の性状（材質、寸法、形状等）の異なる雑固体廃棄物のうち、溶融により減容化がはかれる、例えば、炭素鋼、ステンレス等の金属類、コンクリート、保温材、ガラスの無機物類の不燃物であり、雑固体廃棄物は分別作業用仕分け台の上に載せられ、この仕分け台を囲うように複数の人間が配置され、手作業により分別される。
【発明の開示】
【発明が解決しようとする課題】
【０００５】
しかしながら、従来の仕分け台において、皿状のターンテーブル等の回転部と回転部を支持する固定部との境界部には小さな隙間が形成されており、この隙間に微細な雑固体廃棄物が侵入すると回転部と固定部との囓り込みが生じて回転部の回転が停止し、その都度、作業員が囓り込み部位を探して雑固体廃棄物を除去しなければならないという問題点があった。
【０００６】
また、頻繁に回転部が停止すると分別作業が遅れ、溶融対象物を溶融設備に供給できずに溶融炉を停止させてしまい、溶融炉の稼働率が低下するという問題点があった。
【０００７】
そこで、本発明は上記問題を解決するものであり、その目的は、仕分け台の回転部と固定部との境界部の小さな隙間への雑固体廃棄物の侵入を防止し、もって溶融炉の稼働率を向上させる仕分け台の構造を提供するものである。
【課題を解決するための手段】
【０００８】
上記問題を解決する本発明の廃棄物の仕分け台は、皿状の回転部と、該回転部を支持する固定部とを備え、前記回転部の上に載せられる廃棄物を分別する仕分け台であって、前記回転部と前記固定部との隙間に異物の侵入を防ぐシール材を介在させたことを特徴とする（第１の発明）。
【０００９】
第２の発明は、第１の発明において使用するシール材は、前記固定部に固定されるブラシであり、該ブラシの先端を前記固定部の内周縁と前記回転部の外周縁に接触させるものであることを特徴とする。
【００１０】
第３の発明は、第１の発明において使用するシール材は、ダストシールであることを特徴とする。
【発明の効果】
【００１１】
本発明によれば、仕分け台の回転部と固定部との隙間への雑固体廃棄物の侵入を防止し、もって溶融炉の稼働率を向上させることが可能となる。
【発明を実施するための最良の形態】
【００１２】
以下、本発明の実施形態について図面を用いて詳細に説明する。図１は本発明の第一実施形態における雑固体廃棄物処理設備の全体構成を示す図である。この雑固体廃棄物溶融設備は、雑固体廃棄物を仕分けする前処理設備１と、仕分けされた雑固体廃棄物のうち溶融可能な廃棄物を溶融するための溶融設備２と、溶融終了後の溶融廃棄物を収納したドラム缶に、モルタルを充填して充填固化体とするモルタル固化設備３と、充填固化体を一時保管する保管設備４からなる。
【００１３】
前処理設備１にて、原子力発電施設より発生する雑固体廃棄物５は、仕分け台９上に一度出されて手作業により処理対象外廃棄物６、直接充填物７、溶融対象物８の３区分に分別される。
【００１４】
図２は本発明の第一実施形態における仕分け台を示す図である。分別作業に使用される仕分け台９は、雑固体廃棄物５を上面に載せる皿状のターンテーブル等の回転部１７と、回転部１７を所定の高さで、かつ回転可能に支持する固定部１８と、回転部１７と固定部１８との隙間ｄに雑固体廃棄物の侵入を防ぐシール材１６０とを備える。
【００１５】
回転部１７に載せられた雑固体廃棄物５は固定部１８の周囲に配置される作業員の手作業により前述の３区分に分別され、それぞれ所定の方法で一時保存される。
【００１６】
図３は図２のＡ部拡大図である。図３に示すとおり、回転部１７の外周端には全周にわたりシール材１６０としてブラシ１６０ａが貼設されている。
【００１７】
図４は図３のＢ−Ｂ’断面図である。図４に示すとおり、ブラシ１６０ａは、硬質のナイロン等からなるもので、固定部１８に固定される。このブラシ１６０ａの先端部は固定部１８の内周縁頂部と回転部１７の外周縁頂部との間に位置し、隙間の上部を全周にわたり完全に閉塞し、回転部１７の回転に伴い、ブラシ１６０ａの先端は回転方向の遅れ側に弾性変形しつつ固定部１８の内周縁及び回転部１７の外周縁に接触する。
【００１８】
したがって、微細な雑固体廃棄物１６１は回転部１７の回転に伴う遠心力により、ブラシ１６０ａ上を通過して固定部１８側（図４の矢印方向）に移動するために、ブラシ１６０ａは隙間ｄへの微細な雑固体廃棄物１６１の侵入を防止することが可能である。
【００１９】
なお、回転部１７の外周端の全周にわたり取り付け台１９を設け、この取り付け台１９にシール材１６０としてブラシ１６０ａを配設しても上記と同様の機能を得ることが可能である。
【００２０】
図５は本発明の第二実施形態における仕分け台の部分断面図である。なお、仕分け台の基本的構成は第一実施形態と同様であるため、以下、同一箇所には同一符号を付してその説明を省略する。
【００２１】
図５に示すとおり、回転部１７の外周面と固定部１８の内周面との間にシール材としてゴム等からなるダストシール１６０ｂが配設されている。このダストシール１６０ｂにより、確実に微細な雑固体廃棄物の侵入を防止することが可能である。
【図面の簡単な説明】
【００２２】
【図１】本発明の第一実施形態における雑固体廃棄物処理設備の全体構成を示す図である。
【図２】本発明の第一実施形態における仕分け台を示す図である。
【図３】図２のＡ部拡大図である。
【図４】図３のＢ−Ｂ’断面図である。
【図５】本発明の第二実施形態における仕分け台の部分断面図である。
【符号の説明】
【００２３】
１  前処理設備                  ２  溶融設備
３  モルタル固化設備            ４  保管設備
５  雑固体廃棄物                ６  処理対象外廃棄物
７  直接充填物                  ８  溶融対象物
９  仕分け台                    １１  投入容器
１２  キャニスタ                １３  収納手段
１４  搬出手段                  １７  回転部
１８  固定部                    １９  取り付け台
１６０  シール材                １６０ａ  ブラシ
１６０ｂ  ダストシール          １６１  微細な雑固体廃棄物
ｄ  隙間
【図１】
2007253122.tif 000003
【図２】
2007253122.tif 000004
【図３】
2007253122.tif 000005
【図４】
2007253122.tif 000006
【図５】
2007253122.tif 000007